(57)【要約】  本補聴器は、マイク（５）と、マイク（５）に接続された補聴処理部（１１）と、補聴処理部（１１）に接続されたレシーバ（７）、制御部（１８）と、制御部（１８）に、切り替え手段（１３，１６，１７）を介して選択的に接続される第１・第２の生体センサ(赤外線センサ（６），加速度センサ（１５）)と、これら第１・第２の生体センサに基づく検出情報を通知する通知部（表示部（８）、レシーバ（７））とを備えている。制御部（１８）は、切り替え手段（１３，１６，１７）により制御部（１８）に選択的に接続された第１または第２の生体センサ(赤外線センサ（６），加速度センサ（１５）)に基づく検出情報を、通知部（表示部（８）、レシーバ（７））から出力させる。
2014010165.tif 000002
【特許請求の範囲】
【請求項１】
音情報を取得するマイクと、
前記マイクにおいて取得された音情報に対して補聴処理を行う補聴処理部と、
前記補聴処理部において補聴処理された音情報を出力するレシーバと、
使用者の生体情報を検出する生体センサと、
前記生体センサにおいて検出された前記生体情報を通知する通知部と、
補聴器の動作モードに応じて前記生体センサを選択的に使用するとともに、前記補聴器の動作モード切り替えに応じて、前記生体センサに基づく検出情報を、前記通知部から出力させる制御部と、
を備えている補聴器。
【請求項２】
前記制御部は、選択的に接続された前記生体センサの種別を、前記通知部から出力させる、
請求項１に記載の補聴器。
【請求項３】
前記生体センサは、第１・第２のセンサによって構成されており、
前記制御部は、切り替え手段によって前記制御部に前記第２の生体センサが選択的に接続されると、この切り替え前に、前記切り替え手段によって選択的に接続されていた前記第１の生体センサに基づく検出情報を、前記通知部から出力させる、
請求項１または２に記載の補聴器。
【請求項４】
前記制御部は、前記生体センサの有効／無効をフィッティング時に選択可能である、
請求項１に記載の補聴器。
【請求項５】
前記通知部は、データログとして記憶された生体情報を、フィッティングアプリケーションを介して通知する、
請求項１に記載の補聴器。
【請求項６】
前記通知部は、各種情報を表示する表示部の液晶画面である、
請求項１に記載の補聴器。
【請求項７】
前記通知部は、音情報を出力する前記レシーバである、
請求項１に記載の補聴器。
【請求項８】
前記生体センサは、外耳道内の赤外線量を測定し体温の測定を行う赤外線センサである、
請求項１に記載の補聴器。
【請求項９】
前記生体センサは、使用者の歩行時の歩数をカウントする加速度センサである、
請求項１に記載の補聴器。
【請求項１０】
前記レシーバおよび前記マイクをそれぞれ有する左耳装着体および右耳装着体をさらに備えており、
前記生体センサは、前記左耳装着体および右耳装着体にそれぞれ設けられ使用者の咀嚼を検出する咀嚼検出部である、
請求項１から９のいずれかに記載の補聴器。
【請求項１１】
前記咀嚼検出部に接続されており、使用者の咀嚼回数をカウントする咀嚼カウント部を、さらに備えており、
前記通知部は、前記咀嚼カウント部における計数結果に基づいて咀嚼バランスを通知する、
請求項１０に記載の補聴器。                                                                
【発明の詳細な説明】
【技術分野】
【０００１】
本発明は、各種生体センサが取り付けられた補聴器に関するものである。
【背景技術】
【０００２】
近年、中高年者は健康維持に対する関心が高く、ダイエットやウォーキングなどを行い、健康を維持しようとする人も少なくない。そのような人々は、歩数計などの専用の機器を用いて管理している。また、より質の高い健康管理を目指して、家庭にある血圧計や体温計等の健康医療機器を活用したシステムやサービスが連携する技術が実現されている。
補聴器においても、各種生体情報を検出するセンサを組み込んだ補聴器が知られている（例えば、特許文献１参照）。
【先行技術文献】
【特許文献】
【０００３】
【特許文献１】特開平９−１８２１９３号公報
【発明の概要】
【０００４】
上述のように、健康管理を重視する使用者は、例えば、歩数計を装着して歩数を管理したり、決められた時間に体温を測定したりする。これらの生体情報を管理するためには、必然的にそれらの目的に応じた測定機器の操作と、その測定結果の確認を個別に行う必要があるため、使い勝手が悪い。
また、上記特許文献においても、補聴器に設けられた複数のセンサの検出結果によって補聴処理を変更しているが、歩数計などのようにセンサによる検出情報を補聴器の装着者に知らせる機能を有していない。
【０００５】
そこで、本発明は、センサから得られた測定結果を、補聴器のモードを切り替えるタイミングで使用者に通知することで使い勝手を向上させることを目的とする。
そして、この目的を達成するために、本発明の補聴器は、マイクと、補聴処理部と、レシーバと、生体センサと、通知部と、制御部と、を備えている。マイクは、音情報を取得する。補聴処理部は、マイクにおいて取得された音情報に対して補聴処理を行う。レシーバは、補聴処理部において補聴処理された音情報を出力する。生体センサは、使用者の生体情報を検出する。通知部は、生体センサにおいて検出された生体情報を通知する。制御部は、補聴器の動作モードに応じて生体センサを選択的に使用するとともに、補聴器の動作モード切り替えに応じて、生体センサに基づく検出情報を、通知部から出力させる。
【０００６】
本発明の補聴器によれば、使用者の使い勝手を従来よりも向上させることができる。
【図面の簡単な説明】
【０００７】
【図１】本発明の実施の形態１に係る補聴器の使用状態を説明する図。
【図２】図１の補聴器の構成図。
【図３】図１の補聴器のブロック図。
【図４】図１の補聴器の動作を示すフローチャート。
【図５】図１の補聴器の動作を示すフローチャート。
【図６】図１の補聴器の動作を示すフローチャート。
【図７】図１の補聴器の表示部の説明図。
【図８】図１の補聴器の表示部の説明図。
【図９】本発明の実施の形態２に係る補聴器の使用形態を説明する図。
【図１０】図９の補聴器の構成図。
【図１１】図９の補聴器のブロック図。
【図１２】図９の補聴器の動作を示すフローチャート。
【図１３】図９の補聴器の表示部を説明する図。
【図１４】図９の補聴器の表示部を説明する図。
【発明を実施するための形態】
【０００８】
以下に、本発明の補聴器の実施の形態を図面とともに詳細に説明する。
（実施の形態１）
図１は、本発明の実施形態に係る補聴器を装着した状態を示している。
図１において、使用者１００は、補聴器１（図２参照）を使用しており、図１に示すように、左の耳に装着体２を装着し、ケーブル３を介して装着体２と接続された補聴器本体４を首からぶら下げている。なお、図１に示す使用者１００は、左耳の聴力が低いので、このように左の耳だけに装着体２を装着しているものとする。
【０００９】
装着体２および補聴器本体４について、図２を用いてより詳細に説明する。
装着体２は、周囲音を収集するためのマイク５と、外耳道内の体温を測定する赤外線センサ６と、装着体２から収集された音声信号に対して補聴処理した後の音声信号や本実施形態における各種通知音を発生させるレシーバ７とを備えている。
補聴器本体４は、各種状態を使用者１００に表示する表示部８と、補聴器本体４の動作モードを設定するボタン９と、を備えている。なお、本実施形態においては、表示部８に液晶画面を用いている。
【００１０】
図３は、補聴器１のブロック図である。
まず、通常の補聴器の機能としては、周囲音を収集するマイク５から入力された音声データは、アナログ音声データとしてＡ／Ｄコンバータ１０に入力される。Ａ／Ｄコンバータ１０は、アナログ音声データをデジタル音声データに変換し、補聴処理部１１に出力する。
補聴処理部１１は、デジタル音声データに対し、使用者１００に適合した聴力特性になるように補聴処理を行った後、Ｄ／Ａコンバータ１２に出力する。
【００１１】
Ｄ／Ａコンバータ１２は、デジタル音声データをアナログ音声データに変換し、レシーバ７に出力する。
レシーバ７は、アナログ音声データを空気振動に変換し、使用者１００に聞こえるような音声信号として出力する。
本実施形態では、上記通常の補聴器機能に加えて以下のような構成を備えている。
まず、装着体２は、使用者１００の外耳道内の赤外線量を測定し体温の測定を行う赤外線センサ６をさらに備えている。
【００１２】
赤外線センサ６は、切り替え手段１３を経由して、生体情報検出部１４に接続されている。
生体情報検出部１４は、赤外線センサ６から得られた赤外線量を基に、使用者１００の体温を算出する。
次に、補聴器本体４は、使用者１００の歩行時の歩数をカウントする加速度センサ１５をさらに備えている。
【００１３】
加速度センサ１５は、切り替え手段１６を経由して生体情報検出部１４に接続されている。
生体情報検出部１４は、加速度センサ１５から得られた加速度を基に、使用者１００の歩数を算出する。
次に、装着体２に設けられたマイク５は、補聴器の動作モードに応じて、寝息やいびきを検出するためのセンサとしても機能する。マイク５は、Ａ／Ｄコンバータ１０、切り替え手段１７を経由して生体情報検出部１４に接続されている。
【００１４】
生体情報検出部１４は、マイク５から得られた音声データを基に、使用者１００の寝息やいびきを検出する。
制御部１８は、切り替え手段１３，１６，１７、生体情報検出部１４、表示部８、補聴処理部１１、メモリ１９に接続され、補聴器１の全体的な制御を行う。
ボタン９は、補聴処理部１１に接続され、補聴器１の動作モードを設定する。なお、動作モードは、補聴器のフィッティング時に設定することが可能である。
【００１５】
ここで、フィッティングとは、使用者１００の聴力や使用環境に応じて、補聴器を調整する行為を呼ぶ。本実施の形態では、使用者１００が、通常モード、散歩モード、就寝モードを選択可能なものとして説明する。
各モードでは、一般的に、動作モードの違いによって、音響パラメータを変化させる、または補聴処理の機能の有効無効を切り替える。
本実施の形態では、散歩モードでは、風抑圧機能を有効にする設定としている。就寝モードでは、補聴器の増幅量を抑えた設定としている。同様に、生体センサの有効／無効もフィッティング時に設定可能である。
【００１６】
また、本実施の形態では、散歩モードでは、赤外線センサ６を使用して体温を測定する機能と、加速度センサ１５を使用して歩数をカウントする機能とを有効にしている。また、就寝モードでは、マイク５を使用して、寝息やいびきを検出し、無呼吸症候群の簡易判定機能を有効にしている。
次に、図４を用いて、全体の処理の流れについて説明する。
まず、補聴器１の電源を投入する（Ｓ１）と、補聴器１を起動させるための各種処理（Ｓ２）が行われた後、通常の補聴器としての動作になる。通常の補聴器の動作は、動作モードとしては「通常モード」（Ｓ３）である。
【００１７】
なお、この状態において、補聴処理部１１はボタン９が押されたかどうかを確認する。ここで、ボタン９が押されていない状態では、Ｓ３に戻る。一方、ボタン９が押された場合には、動作モードが切り替えられたと判断し、次のモードである「散歩モード」に切り替える（Ｓ４）。
「散歩モード」（Ｓ５）の状態においても、補聴処理部１１はボタン９が押されたかどうかを確認する。ここで、ボタン９が押されていない状態では、Ｓ５に戻る。一方、ボタン９が押された場合には、動作モードが切り替えられたと判断し、次のモードである「就寝モード」に切り替える（Ｓ６）。
【００１８】
「就寝モード」（Ｓ７）の状態においても、補聴処理部１１はボタン９が押されたかどうかを確認する。ここで、ボタン９が押されていない状態では、Ｓ７に戻る。一方、ボタン９が押された場合には、動作モードが切り替えられたと判断し、次のモードである「通常モード」に切り替える（Ｓ８）。
以上のように、補聴器１の動作モードは、ボタン９が操作されることによって順次切り替えられ、所望の動作モードが選択される。
【００１９】
次に、図５および図６を用いて、上記それぞれの動作モードについて詳細に説明する。
図５は「散歩モード」の処理の流れを示している。
まず、「散歩モード」が選択されると（Ｓ１１）、制御部１８は、切り替え手段１３を制御し、赤外線センサ６と生体情報検出部１４とを接続状態とする。さらに、制御部１８は、切り替え手段１６を制御し、加速度センサ１５と生体情報検出部１４とを接続状態とする（Ｓ１２）。
【００２０】
次に、補聴処理（Ｓ１３）を行うが、これは一般的な補聴器の動作になる。そして、生体情報検出部１４は、赤外線センサ６で得られた情報から体温を算出するとともに、加速度センサ１５から得られた加速度情報から歩数を算出する（Ｓ１４）。
これら、体温情報と歩数情報とは、生体情報検出部１４から制御部１８に通知され、表示部８に表示（Ｓ１５）される（図７（ａ）および図７（ｂ）参照）。
そして、制御部１８は「現在の歩数は８０００歩です」や「現在の体温は３６．４度です」などの音声情報として、補聴処理部１１に送り、レシーバ７から使用者１００に通知する。
【００２１】
このとき、体温情報が所定の体温を超える場合には、図７（ｃ）に示すように、警告表示に切り替えるとともに、「体温上昇中、水分補給を」などの音声情報として通知してもよい。
また、表示部８に表示される体温情報と歩数情報とは、使用者１００の好みに応じて切り替えるようにしてもよいし、所定の間隔で交互に表示するようにしてもよい。
次に、ボタン９の状態を確認し（Ｓ１６）、ボタン９が押されていなければ、Ｓ１３に戻る。一方、ボタン９が押されていれば、図７（ｄ）に示すように、最終の歩数を表示部８に表示するとともに、「今回の歩数は９０００歩です」の音声メッセージをレシーバ７から通知する（Ｓ１７）。
【００２２】
また、図示しないが、次のモードを通知するために「就寝モードに変わりました。いびき検知のセンサが有効です。」との通知を、表示部８に表示するとともに、レシーバ７から音声により通知する。そして、次のモードである「就寝モード」に遷移する（Ｓ１８）。
なお、本実施形態では、音声による歩数通知および体温通知は、１０００歩毎に実行される。
【００２３】
このように、「散歩モード」から「就寝モード」に遷移する際に、そのモードの測定結果を通知することにより、特別な操作を必要とせず、通常の補聴器の使用状態のままで必要な情報を得ることができるため、使用者１００の使い勝手を向上させることができる。
また、モードが遷移する場合、モードを音声で通知するとともに、「いびき検知のセンサが有効です。」の例の様に、このモードでどのセンサが有効であるかも併せて通知する。このように「就寝モード」では、どのセンサが使用されているかを通知することにより、使用者１００の使い勝手を向上させることができる。
【００２４】
ここで、「就寝モード」に遷移した場合には（Ｓ２１）、制御部１８は、切り替え手段１３を制御し、赤外線センサ６と生体情報検出部１４とを非接続状態とする。さらに、制御部１８は、切り替え手段１６を制御し、加速度センサ１５と生体情報検出部１４とを非接続状態とするとともに、マイク５から得られた周囲音がＡ／Ｄコンバータ１０を経由して生体情報検出部１４に入力されるように制御する（Ｓ２２）。
次に、補聴処理（Ｓ２３）を行うが、これは一般的な補聴器の動作になる。
【００２５】
そして、生体情報検出部１４は、マイク５で得られた音声情報から、寝息およびいびき音を検出し、寝息が検出されなかった時間や、いびきを検出した時間を収集する（Ｓ２４）。
このとき、使用者１００は睡眠中のため、上述した「散歩モード」のような表示部８への表示や、音声による通知は行わない（Ｓ２５）。
次に、ボタン９の状態を確認し（Ｓ２６）、ボタン９が押されていない場合には、Ｓ２３に戻る。
【００２６】
ここでは、使用者１００が目覚めてボタン９を押すことによって、上述の寝息が検出されなかった時間や、いびきの状態を表示部８に表示から無呼吸症候群の恐れがあるが否かを表示部８に表示するとともに、音声として通知される。
例えば、無呼吸症候群のおそれがある場合には、図８に示すように表示するとともに、「無呼吸症候群の可能性あり」の音声メッセージを通知する（Ｓ２７）。
また、図示はしないが、次のモードを通知するために「通常モードに変わりました」との通知を、表示部８に表示するとともに、レシーバ７から音声によって通知する。
【００２７】
そして、次のモードである「通常モード」に遷移する（Ｓ２８）。
このように、「就寝モード」から「通常モード」に遷移する際に、そのモードの測定結果を通知することにより、使用者１００の使い勝手を向上させることができる。
ここで、補聴器は、上述の通り、フィッティング作業が行なわれる。通常、フィッティング時には、使用者１００の使用環境に合わせて調整が行われる。このため、数か月のオーダでフィッティングが行われる場合が多い。この時、使用者１００の使用状況などをデータログが補聴器にデータを保存されている。よって、データログを用いてフィッティング時にフィッティングアプリケーションによってグラフ化を行う等、フィッティング装置にもフィードバックすることができる。
【００２８】
このデータログの機能を利用すれば、生体センサから得た情報を、データログの一部として保存し、後に保存されたデータをグラフ化するなどの加工を行い、使用者１００にフィードバックすることができる。
これにより、このデータログ機能を用いることで、日々の健康管理についてもモニタリングすることができるため、従来よりも使用者１００の使い勝手を向上させることができる。
【００２９】
なお、本実施の形態では、ボタン９を押下することでモードの切り替えを行ったが、マイク５からの入力音声信号を判定して、自動でモードを変更してもよい。
また、本実施の形態では、表示と音声メッセージによる通知を併用する構成としたが、表示部を使って文字、およびアイコン等で通知してもよい。
また、本実施の形態では、第１・第２の生体センサが補聴器本体に内蔵されている例を挙げて説明した。しかし、本発明はこれに限定されるものではない。例えば、有線または無線の通信を利用して外部機器としての生体センサから生体情報が供給される構成であってもよい。
【００３０】
また、散歩モードや就寝モードにおいて、生体センサとしてマイク５を用いて心拍数を検知してもよい。この場合、例えば、散歩モードではマイク５において検知した心拍数から運動強度を通知させる、あるいは就寝モードではマイク５において検知した心拍数からＲＥＭ睡眠など睡眠の質を通知させる等の効果を得ることができる。
さらに、生体センサによって咀嚼を検知するときの動作モードとして、実施形態１において説明した「散歩モード」、「就寝モード」を、例えば、「食事モード」などに置き換えたり、あるいは「散歩モード」、「就寝モード」に「食事モード」などを追加したりしてもよい。この実施の形態を、実施形態２として以下で説明する。
【００３１】
（実施の形態２）
図９は、本発明の実施形態２に係る補聴器が使用者に装着された状態を示している。
図９において、使用者１００は、補聴器１（図１０参照）を使用しており、左右の耳に装着体２Ａ，２Ｂを装着し、ケーブル３を介して装着体２Ａ，２Ｂと接続された補聴器本体４を首からぶら下げている状態である。
装着体２Ａ，２Ｂと補聴器本体４とについて、図１０を用いてより詳細に説明する。
【００３２】
装着体２Ａは、周囲音を収集するためのマイク５Ａと、咀嚼音を収集するマイク６Ａと、装着体２Ａから収集された音声信号に対して補聴処理した後の音声信号や本実施形態における各種通知音を発生させるレシーバ７Ａと、を備えている。
装着体２Ｂには、周囲音を収集するためのマイク５Ｂと、咀嚼音を収集するマイク６Ｂと、装着体２Ｂから収集された音声信号に対して補聴処理した後の音声信号や本実施形態における各種通知音を発生させるレシーバ７Ｂと、を備えている。
【００３３】
補聴器本体４は、補聴器本体４の各種状態を表示し、使用者１００に通知する表示部８をさらに備えている。
次に、図１１および図１２を用いて、補聴器１の詳細な構成と動作の流れについて説明する。
図１１は、補聴器１のブロック図である。
まず、通常の補聴器の機能として、周囲音を収集するマイク５Ａ，５Ｂから入力された音声データは、アナログ音声データとしてＡ／Ｄコンバータ１０に入力される。
【００３４】
Ａ／Ｄコンバータ１０は、アナログ音声データからデジタル音声データに変換し補聴処理部１１に出力する。
補聴処理部１１は、デジタル音声データに対し、使用者１００に適合した聴力特性に補聴処理を行った後、Ｄ／Ａコンバータ１２に出力する。
Ｄ／Ａコンバータ１２は、デジタル音声データをアナログ音声データに変換し、レシーバ７Ａ，７Ｂに出力する。
【００３５】
レシーバ７Ａ，７Ｂは、アナログ音声データを空気振動に変換し、使用者１００に聞こえるような音声信号として出力する。
次に、図１２を用いて本実施形態の補聴器１の動作の流れを説明する。
補聴器１を使用するために、補聴器１の電源を投入する（Ｓ００１）。
咀嚼音を検出するためのマイク６Ａ、６Ｂから入力された音声データは、アナログ音声データとしてＡ／Ｄコンバータ１０に入力される。
【００３６】
Ａ／Ｄコンバータ１０は、アナログ音声データからデジタル音声データに変換し、咀嚼検出部１４Ａに出力する。
咀嚼検出部１４Ａは、マイク６Ａ，６Ｂのそれぞれのデジタル音声データを解析し、咀嚼音か否かを個別に判断する（Ｓ００２）。そして、咀嚼検出部１４Ａは、咀嚼音であると判断した場合には、咀嚼カウント部１８Ａに通知する。
マイク６Ａ，６Ｂから入力される音は、咀嚼音以外にも、自身の発話音なども入力されるため、それらを識別して咀嚼音のみ抽出する必要がある。この技術は、咀嚼音と発話音の周波数帯域の違いを利用して検出する方法が、公知技術として知られており、本実施形態での詳細な説明は省略する。
【００３７】
そして、咀嚼検出部１４Ａは、マイク６Ａ，６Ｂから入力される音から咀嚼音を検出すると、マイク６Ａとマイク６Ｂとにおいて取得された咀嚼音の音圧レベルを比較する（Ｓ００３）。そして、音圧レベルの高い側を、奥歯を利用している側として認定する。
例えば、食事において、右奥歯で咀嚼している場合には、右側のマイク６Ｂにおいて左側のマイク６Ａよりも大きな咀嚼音を取得することになる。よって、マイク６Ｂから咀嚼カウント部１８Ａに対して、使用者１００が咀嚼したという情報を送る（Ｓ００４）。
【００３８】
一方、左奥歯で咀嚼している場合には、左側のマイク６Ａにおいて右側のマイク６Ｂよりも大きな咀嚼音を取得することになる。よって、マイク６Ａから咀嚼カウント部１８Ａに対して、使用者１００が咀嚼したという情報を送る（Ｓ００５）。
なお、咀嚼カウント部１８Ａに送られる信号の形態としては、例えば、マイク６Ａを‘１’、マイク６Ｂを‘２’とした場合には、後者の場合は‘１’を送ることになる。
咀嚼カウント部１８Ａは、咀嚼検出部１４Ａから、マイク６Ａからの信号‘１’、もしくはマイク６Ｂからの信号‘２’を受け取ると、それぞれ別にカウントし、その結果をメモリ１９に保存する。そして、それぞれのカウント状況に応じて、表示部８が、現在の状況を表示する（Ｓ００６）。
【００３９】
表示部８においては、例えば、図１３に示すように、天秤のような図柄で、左右の咀嚼のバランスを表示している。使用者１００は、この天秤の表示を見ながら、咀嚼バランスを考慮しながら食事を行うことができる。また、図１４に示すように、前回までの記録の履歴と合わせて左右の咀嚼のバランスを表示してもよい。
また、咀嚼カウント部１８Ａは、所定の時間（例えば、１分）経過したかどうかを確認し（Ｓ００７）、通知音生成部１８Ｂに対して通知を行う。
【００４０】
通知音生成部１８Ｂは、マイク６Ａ側、マイク６Ｂ側のそれぞれのカウント値に応じて、メッセージを補聴処理部１１に送信する。そして、補聴処理部１１は、マイク５Ａ，５Ｂから入力された音声データにメッセージをミックスさせ、補聴処理を行った音をレシーバ７Ａ，７Ｂから出力する（Ｓ００８）。
なお、音声データにミックスさせるメッセージとは、例えば、マイク６Ａ（左側）のカウント値がマイク６Ｂ（右側）より多い場合には、「左奥歯の使用が多いので、右奥歯を使ってください」のような音声情報である。なお、カウント値の高い側のレシーバからビープ音やメロディを鳴らすことで、どちらの奥歯の使用頻度が高いかを示して注意喚起をしてもよい。
【００４１】
そして、咀嚼検出部１４Ａによって咀嚼が検出されない時間を計測し、所定の時間（例えば５分）咀嚼が検出されなければ（Ｓ００９）、食事が終了したと判断し、左右のカウント値をリセット（Ｓ０１０）する。
メモリ１９は、咀嚼カウント部１８Ａで算出されたカウント値を保存する。このカウント値をログとして過去の経歴を保存しておくことにより、補聴器１を接続したフィッティング装置などの外部機器にこのログデータを転送することで、履歴を確認する用途に使用することができる。
【００４２】
なお、本実施の形態では、マイク６Ａ，６Ｂから入力される音を利用して咀嚼音を検出しているが、咀嚼音の検出手段はマイクに限らず、別の手段を用いてもよい。
例えば、圧力センサをマイク６Ａ，６Ｂの代わりに配置し、顎を動かすことによって変化する外耳道内部の変形を圧力センサで検知することによって、咀嚼を検出してもよい。
以上のように、咀嚼を検知する処理を行うときの動作モードを、例えば「食事モード」などと設定しておき、上記実施形態１と同様に、例えば、「通常モード」と「食事モード」において、補聴器の動作モード切り替え時に、切り替え手段によって、制御部である咀嚼カウント部１８Ａに選択的に接続された生体センサに基づく検出情報を、通知音生成部１８Ｂによって生成されたメッセージを通知部から出力させる。
【００４３】
これにより、実施形態１と同様に、使用者１００の使い勝手を従来よりも向上させることができる。
さらに、本実施形態においては、上述の実施形態１の効果に加えてさらに、左耳装着体および右耳装着体に、咀嚼を検出する入力部を設けている。さらに、入力部には、咀嚼を検出する咀嚼検出部を接続し、咀嚼検出部には咀嚼カウント部を接続し、咀嚼カウント部に左右の咀嚼バランスを通知する通知部を接続している。
【００４４】
これにより、左右の咀嚼バランスを検出して、通知部から通知することができる。この結果、使用者１００は咀嚼バランスの矯正を心掛けることができる。よって、上顎と下顎がずれてしまう状態の多発を抑制することができる。
なお、本実施の形態においても、実施形態１と同様に、使用者１００の咀嚼を検知するセンサとして、有線または無線の通信を利用して外部に設けられた機器を用いてもよい。
例えば、外部に設けられた機器（生体センサ）として、血糖値センサや血圧センサを用い、これらのセンサを、通信手段を介して補聴器と接続すればよい。そして、これらのセンサは、補聴器に設定された複数の動作モードのうち、例えば、食事モードなどが設定されている際に機能すればよい。
【産業上の利用可能性】
【００４５】
本発明の補聴器は、使用者の使い勝手を向上させることがという効果を奏するものであることから、補聴器の分野において広く適用可能である。
【符号の説明】
【００４６】
１      補聴器
２      装着体
２Ａ，２Ｂ  装着体
３      ケーブル
４      補聴器本体
５      マイク
５Ａ，５Ｂ  マイク
６      赤外線センサ
６Ａ，６Ｂ  マイク
７      レシーバ
７Ａ，７Ｂ  レシーバ
８      表示部
９      ボタン
１０      Ａ／Ｄコンバータ
１１      補聴処理部
１２      Ｄ／Ａコンバータ
１３      切り替え手段
１４      生体情報検出部
１４Ａ    咀嚼検出部
１５      加速度センサ
１６      切り替え手段
１７      切り替え手段
１８      制御部
１８Ａ    咀嚼カウント部
１８Ｂ    通知音生成部
１９      メモリ
１００  使用者
【図１】
2014010165.tif 000003
【図２】
2014010165.tif 000004
【図３】
2014010165.tif 000005
【図４】
2014010165.tif 000006
【図５】
2014010165.tif 000007
【図６】
2014010165.tif 000008
【図７】
2014010165.tif 000009
【図８】
2014010165.tif 000010
【図９】
2014010165.tif 000011
【図１０】
2014010165.tif 000012
【図１１】
2014010165.tif 000013
【図１２】
2014010165.tif 000014
【図１３】
2014010165.tif 000015
【図１４】
2014010165.tif 000016
【国際調査報告】
2014010165.tif 000017
2014010165.tif 000018
2014010165.tif 000019
2014010165.tif 000020